(57)【特許請求の範囲】
【請求項１】
パラボラ曲面を有する反射面を備えた反射板と、
ＬＥＤチップが実装されたＬＥＤ基板と、
前記反射板および前記ＬＥＤ基板を収容する箱体と、
を備え、
前記ＬＥＤ基板は、前記パラボラ曲面における曲率半径が大きい側に前記ＬＥＤチップの主光軸が向くように傾いた状態で、前記箱体内であって、前記ＬＥＤチップから照射された光が前記反射板により平行光となって反射される位置に配置され、
前記反射板は、さらに、前記反射板の外周部において、前記反射板の前記反射面により反射された光の照射方向に平行に配置される、前記ＬＥＤチップの直接光を遮光する遮光部を備える照明装置。
【請求項２】
請求項１に記載の照明装置において、
ＬＥＤ発光部が、前記反射面に反射した光を遮蔽しない位置に設けられている照明装置。
【発明の詳細な説明】
【技術分野】
【０００１】
本発明は、ＬＥＤ発光部を用いて例えば高層建築物を下方から照明するライトアップ用に適用される照明装置に関する。
【背景技術】
【０００２】
従来よりＬＥＤ発光部の主光軸を反射面に向けた照明装置が知られている（例えば、特許文献１参照）。
【先行技術文献】
【特許文献】
【０００３】
【特許文献１】特開２００８−２２６７８８号公報（図２、請求項１）
【発明の概要】
【発明が解決しようとする課題】
【０００４】
夜間、高層建築物を下方から照明するライトアップ用、あるいは高層建築物を上方から下方に向けて照明するライトダウン用や、建築物に対してスポット照明を行うスポット照明用の照明装置は、遠方まで平行光を照射できることが求められている。
しかしながら、特許文献１は、車両用前照灯を前提としており、その配光は光軸に対して一定の広がりを有する構造であり、前述した用途に適さない。
【０００５】
本発明は、前述した課題を解決するためになされたものであり、その目的は、ＬＥＤ発光部を用いて例えば高層建築物を下方から照明するライトアップ用に適した照明装置を提供することにある。
【課題を解決するための手段】
【０００６】
本発明に係る照明装置は、パラボラ曲面を有する反射面を備えた反射板と、ＬＥＤチップが実装されたＬＥＤ基板と、前記反射板および前記ＬＥＤ基板を収容する箱体と、を備え、前記ＬＥＤ基板は、前記パラボラ曲面における曲率半径が大きい側に前記ＬＥＤチップの主光軸が向くように傾いた状態で、前記箱体内であって、前記ＬＥＤチップから照射された光が前記反射板により平行光となって反射される位置に配置され、前記反射板は、さらに、前記反射板の外周部において、前記反射板の前記反射面により反射された光の照射方向に平行に配置される、前記ＬＥＤチップの直接光を遮光する遮光部を備える。
【０００７】
本発明に係る照明装置は、ＬＥＤ発光部が、反射面に反射した光を遮蔽しない位置に設けられている。
【発明の効果】
【０００８】
本発明の照明装置によれば、ＬＥＤ発光部を用いて例えば高層建築物を下方から照明するライトアップ用に適した照明装置を提供できるという効果を有する。
【図面の簡単な説明】
【０００９】
【図１】本発明に係る第１実施形態の照明装置の蓋を開けた状態の斜め上方から視た外観斜視図
【図２】図１の照明装置の反射板と反射板取付部材との平面図
【図３】図１の照明装置の縦断面図
【図４】本発明に係る第２実施形態の照明装置の縦断面図
【発明を実施するための形態】
【００１０】
以下、本発明の複数の実施形態に係る照明装置について図面を参照して説明する。
（第１実施形態）
本発明の第１実施形態である照明装置１０は、箱体１１と、複数のＬＥＤ発光部１２と、複数の反射板１３と、透光板１５を有する蓋１４とを備えるライトアップ用照明装置である。
【００１１】
図１に示すように、箱体１１は、厚みの薄いアルミニウムダイカスト製板部材をプレス成形することにより上方を開放して成形されており、ＬＥＤ発光部（図３参照）１２および反射板１３を収容している。蓋１４の端部は、箱体１１の端部にヒンジ部材１６により連結されている。透光板１５は例えばアクリル樹脂製の板部材である。
【００１２】
図２に示すように、反射板１３は、凹状の半球面形状のパラボラ曲面を有し、アルミニウム蒸着による鏡面状の反射面１７を有する。反射板１３は、反射面１７における照明方向とは反対側に半円形状の貫通孔１８を有し、先端部に反射面１７から外れた位置に向かう光を遮蔽するグレアカット面を形成するための略庇状のグレア防止具１９が一体成形されている。反射板１３は、グレア防止具１９が配置されている縁部近傍に、反射光の照射方向に対して平行に配置されていてグレアカット面を形成するための板状の遮光具２０が取り付けられている。遮光具２０は、光を吸収する例えば黒艶消し等に塗装されている。
【００１３】
貫通孔１８は、空気の流路となるとともにＬＥＤ発光部１２への電力線通路となる。また、貫通孔１８はＬＥＤ発光部１２から発光される色ムラとなる成分を有する光を反射させないようにする位置まで切除されている。反射板１３は、反射板取付部材２１にネジ２２によりネジ固定されており、反射板取付部材２１を介して箱体１１にネジ固定されている。
【００１４】
反射板取付部材２１には、側部に調整部を構成する長孔２３および丸孔２４が一対に設けられている。反射板取付部材２１は、丸孔２４を通じて箱体１１にネジ込まれている調整部の他の一部を構成するネジ２５を支点として、長孔２３を通じて箱体１１にネジ込まれている調整部の他の一部を構成するネジ２６を緩めることにより、遮光具２０を一体として反射板１３の腑仰角を箱体１１に対して予め定められた角度だけ傾動させることができる。これにより、反射板１３の反射面１７による反射光の向きおよび反射光に応じた遮光具２０の向きを変更させることができる。反射板１３は、グレア防止具１９における外縁の９０度間隔の３か所に、直線状に切削されたカット部２７を有する。カット部２７は、複数配列される反射板１３同士の離間距離を小さくする機能を有する。
【００１５】
図３に示すように、ＬＥＤ発光部１２は、反射板１３における反射面１７のパラボラ曲面における曲率半径が大きい側に主光軸が向くようにＬＥＤ基板２８が傾いて箱体１１上に突出して取り付けられている。ＬＥＤ基板２８上にはＬＥＤチップ２９が実装されている。
【００１６】
このような照明装置１０は、外部の商用電源に電気的に接続された不図示の電源ユニットが内蔵されており、電源ユニットからＬＥＤ基板２８に有するプリント回路に直流電流が与えられることによりＬＥＤチップ２９が発光する。ＬＥＤチップ２９からの光は、反射板１３の反射面１７により反射して透光板１５を通じた平行光となって被照射対象に照射される。このとき、反射板１３における反射面１７のパラボラ曲面における曲率半径が大きい側に主光軸が向くようにＬＥＤ基板２８が傾いているために、ＬＥＤチップ２９からの光のうち、グレアを生ずる要因が大きい側部光が反射面１７に向くことがない。
【００１７】
従って、この第１実施形態の照明装置１０においては、反射板１３における反射面１７のパラボラ曲面における曲率半径が大きい側に主光軸が向くようにＬＥＤ基板２８が傾いている。
これにより、この第１実施形態の照明装置１０においては、ＬＥＤチップ２９からの光のうち、グレアを生ずる要因が大きい側部光が反射面１７に向くことがないので、確実にグレアカットすることができる。
また、この第１実施形態の照明装置１０においては、反射板１３がパラボラ曲面を有する反射面１７を有する。
これにより、この第１実施形態の照明装置１０においては、ＬＥＤチップ２９の光指向性により制御できない部分を有効的に使用して光効率を向上させることができる。
そして、この第１実施形態の照明装置１０においては、略庇状のグレア防止具１９によりグレアカット面が形成されている。
これにより、この第１実施形態の照明装置１０においては、反射板１３の形状が大型化することがなく、反射板１３で制御できないＬＥＤチップ２９からの直接光を確実にグレアカットすることができる。
そして、この第１実施形態の照明装置１０においては、グレア防止具１９が大きくならないように板状の遮光具２０を備える。
これにより、この第１実施形態の照明装置１０においては、グレア防止具１９が大きくならずに光の取り出し効率を向上させることができる。
【００１８】
更に、この第１実施形態の照明装置１０においては、反射板１３の貫通孔１８を通じて空気が流路される。
これにより、この第１実施形態の照明装置１０においては、反射板１３の貫通孔１８を通じて循環される空気によりＬＥＤチップ２９を冷却することができる。
また、この第１実施形態の照明装置１０においては、反射板１３の貫通孔１８を通じて配線が配策される。
これにより、この第１実施形態の照明装置１０においては、反射板１３の貫通孔１８に配策された配線が、貫通孔１８を循環する空気により冷却されて配線の発熱を抑制することができる。
【００１９】
（第２実施形態）
次に、本発明の第２実施形態の照明装置について説明する。なお、以下の第２実施形態において、上述した第１実施形態と重複する構成要素や機能的に同様な構成要素については、図中に同一符号あるいは相当符号を付することによって説明を簡略化あるいは省略する。
図４に示すように、本発明の第２実施形態の照明装置４０は、ＬＥＤ発光部１２のＬＥＤ基板２８が、反射面１７に反射した光を遮蔽しないように箱体１１の上面から下がった位置において、反射板１３における反射面１７のパラボラ曲面における曲率半径が大きい側に主光軸が向くように傾いて取り付けられている。
【００２０】
従って、この第２実施形態の照明装置４０においては、反射面１７に反射した光がＬＥＤ基板２８にあたらない。
これにより、この第２実施形態の照明装置４０においては、反射面１７に反射した光を遮蔽しないので光を効率よく取り出すことができる。
【００２１】
なお、各実施形態で使用した箱体、ＬＥＤ発光部、蓋等は例示したものに限定するものではなく適宜変更が可能である。
また、本発明は、建築物を下方から照明するライトアップ用にのみ適用可能なものではなく、建築物を上方から下方に向けて照明するライトダウン用や、建築物に対してスポット照明を行うスポット照明用にも適用可能であり、建築物以外にも適用可能である。
【符号の説明】
【００２２】
１０、４０  照明装置
１２  ＬＥＤ発光部
１７  反射面
【図１】
0005590658.tif 000002
【図２】
0005590658.tif 000003
【図３】
0005590658.tif 000004
【図４】
0005590658.tif 000005